(57)【要約】【課題】光学フィルタのＰＤＰに対する平行性を保つことが難しかった。また、光学フィルタの重量がＰＤＰへの負担となっていた。【解決手段】足部材６０と接続するブラケット２０に対してＰＤＰ１０と枠体３０が夫々に固定された状況下、固定具９０を用いて、光学フィルタ８０を枠体３０に対して固定する。その結果、光学フィルタ８０は、ＰＤＰ１０に対する所要の平行性を保った状態で固定されるとともに、光学フィルタ８０とＰＤＰ１０とが、互いに重量をかけ合うことが無くなり、光学フィルタ８０およびＰＤＰ１０は不要な負荷を受けなくなる。また、製品の製造過程においては、キャビネット４０への不要な傷や歪みを防止することができる。【選択図】図７
2005308795.tif 000002
【特許請求の範囲】
【請求項１】
前面壁の略中央に略矩形の開口を形成したキャビネットと、同開口に表示面を向けた状態で同キャビネット内に配設されるプラズマディスプレイパネルと、同プラズマディスプレイパネルの周囲を囲んだ状態で同キャビネット内に配設される枠部材と、同枠部材に固定される光学フィルタと、同光学フィルタを同枠部材に対して固定するための所定の固定具とを備えるプラズマテレビジョンにおいて、
略垂直に立設する足部材と接続し上記プラズマテレビジョンの略全体を所定高さ位置に支持するためのブラケットに対し、背面側において固定される上記プラズマディスプレイパネルと、
上記ブラケットの上端部位および下端部位の各先端部と対向する部位において同ブラケットに対して固定される上記枠部材と、
上記光学フィルタの左右端部を夫々固定する第一固定具と光学フィルタの上下端部を夫々固定する第二固定具とから構成され、上記枠部材の前面側縁部上において、光学フィルタをプラズマディスプレイパネルの板面との所要の平行性を保った状態で固定する上記固定具とを備え、
上記第一固定具は、
枠部材の略上下幅に渡って同枠部材の左右の前面側縁部に当接する縁部当接部と、
同縁部当接部の長手方向に沿う縁部であって同枠部材の内側を向く縁部から略垂直に屈曲して同縁部当接部から所定の段差を確保する段差形成部と、
同段差形成部の縁部当接部と接続しない側の長手方向に沿う縁部から同枠部材の内側に略垂直に屈曲し、光学フィルタの略上下幅に渡って同光学フィルタの左右の前面側端部に当接するフィルタ当接部とからなり、
かつ、段差形成部の両端には、段差形成部と略同一平面に形成される部位であって、上記縁部当接部からの段差が形成される方向とは逆の方向に向かって同縁部当接部および枠部材の厚み分突出した上で、同段差形成部の長手方向と略平行に突出する差込片が形成され、
上記枠部材には、上記第一固定具を取付けた際に上記差込片と対向する各部位に、上記差込片を貫入させるための長穴が形成されることを特徴とするプラズマテレビジョン。
【請求項２】
キャビネットと、同キャビネット内に配設される枠部材と、同枠部材に周辺を囲まれて同キャビネット内に配設されるパネル型表示装置と、同枠部材に固定される光学フィルタと、同光学フィルタを同枠部材に対して固定するための所定の固定具とを備えるパネル表示型テレビジョンであって、
上記枠部材とパネル型表示装置とは、互いに重量をかけ合わない状態で、パネル表示型テレビジョンの略全体を支持するための支持部材に対して夫々に固定され、
上記固定具は、上記枠部材の前面側縁部上において、上記光学フィルタをパネル型表示装置の板面との所要の平行性を保った状態で固定することを特徴とするパネル表示型テレビジョン。
【請求項３】
上記固定具は、上記光学フィルタの左右端部を夫々固定する第一固定具と光学フィルタの上下端部を夫々固定する第二固定具とからなり、
同第一固定具は、枠部材の略上下幅に渡って同枠部材の左右の前面側縁部に当接する縁部当接部と、同縁部当接部の長手方向に沿う縁部であって同枠部材の内側を向く縁部から略垂直に屈曲して同縁部当接部から所定の段差を確保する段差形成部と、同段差形成部の縁部当接部と接続しない側の長手方向に沿う縁部から同枠部材の内側に略垂直に屈曲し、光学フィルタの略上下幅に渡って同光学フィルタの左右の前面側端部に当接するフィルタ当接部とからなることを特徴とする請求項２に記載のパネル表示型テレビジョン。
【請求項４】
上記段差形成部の両端には、同段差形成部と略同一平面に形成される部位であって、上記縁部当接部からの段差が形成される方向とは逆の方向に向かって同縁部当接部および枠部材の厚み分突出した上で、同段差形成部の長手方向と略平行に突出する差込片が形成され、
上記枠部材には、上記第一固定具を取付けた際に上記差込片と対向する各部位に上記差込片を貫入させるための長穴が形成されることを特徴とする請求項３に記載のパネル表示型テレビジョン。
【請求項５】
上記段差形成部が形成する段差は、上記第一固定具が枠部材に取付けられ上記フィルタ当接部が光学フィルタの左右の前面側端部を押圧した際に、同光学フィルタと枠部材の前面側縁部との間に介在する導電性を有するガスケットが所定の厚みに圧縮される距離に設定されることを特徴とする請求項３または請求項４のいずれかに記載のパネル表示型テレビジョン。
【請求項６】
上記枠部材とパネル型表示装置との間には、所定のスペーサが介在し、パネル型表示装置と光学フィルタとの間を所定距離に保つことを特徴とする請求項２〜請求項５のいずれかに記載のパネル表示型テレビジョン。
【請求項７】
上記支持部材は、略垂直に立設する足部材と、同足部材に接続することによりパネル表示型テレビジョンの略全体を所定高さ位置に支持するブラケットとからなることを特徴とする請求項２〜請求項６のいずれかに記載のパネル表示型テレビジョン。
【請求項８】
上記パネル型表示装置は、プラズマディスプレイパネルであることを特徴とする請求項２〜請求項７のいずれかに記載のパネル表示型テレビジョン。
【請求項９】
キャビネットと、同キャビネット内に配設される枠部材と、同枠部材に周辺を囲まれてキャビネット内に配設されるパネル型表示装置と、同枠部材に固定される光学フィルタと、同光学フィルタを同枠部材に対して固定するための所定の固定具とを備えるパネル表示型テレビジョンを組立てるパネル表示型テレビジョン組立方法であって、
上記枠部材とパネル型表示装置とを、互いに重量をかけ合わない状態で、パネル表示型テレビジョンの略全体を支持するための支持部材に対して夫々に固定し、
上記光学フィルタを、上記固定具によって、枠部材の前面側縁部上でパネル型表示装置の板面と所要の平行性を保った状態で固定することを特徴とするパネル表示型テレビジョン組立方法。
【発明の詳細な説明】
【技術分野】
【０００１】
本発明は、プラズマテレビジョン、パネル表示型テレビジョンおよびパネル表示型テレビジョン組立方法に関する。
【背景技術】
【０００２】
関連する従来技術として、前枠３の前側において、ガラス基材光学フィルタ５を固定するプラズマディスプレイ装置が知られている（例えば、特許文献１参照。）。
上記装置では、前枠３の後面から、プラズマディスプレイパネル８とバックカバー６とをネジ９で取付けた上で、前枠３の前側において、ガラス基材光学フィルタ５を斜め横からスライドさせ、フック状の突起４の溝に挟み込むように挿入して前枠３に仮固定する。次に、ガラス基材光学フィルタ５を前枠３に固定するために、上下左右の４箇所を押え金具２で押さえ、前枠３の前側からネジ７で密着固定する。そして、前側外装ケース１をその上からかぶせる。
【特許文献１】特開２００３‐５６６９号公報
【発明の開示】
【発明が解決しようとする課題】
【０００３】
上記従来技術においては、ガラス基材光学フィルタ５の上下左右の４箇所を、押え金具２をネジ止めして固定するが、作業者が各箇所のネジを均一の締め付け具合で固定できるとは限らない。従って、各ネジの締め付け具合が不均一となり、ガラス基材光学フィルタ５とプラズマディスプレイパネル８との平行性を保つことが難しいと言う課題があった。
また、従来技術では、ガラス基材光学フィルタ５とプラズマディスプレイパネル８とは何れも前枠３に固定される。そのため、ガラス基材光学フィルタ５とプラズマディスプレイパネル８とが、前枠３を介して互いの重量をかけ合い、両部品に不要な負荷がかかってしまうという課題があった。
【０００４】
本発明は、上記課題にかんがみてなされたもので、光学フィルタを枠部材における所定位置に容易かつ確実に固定するとともに、光学フィルタおよびパネル型表示装置を保護することの可能なプラズマテレビジョン、パネル表示型テレビジョンおよびパネル表示型テレビジョン組立方法を提供することを目的とする。
【課題を解決するための手段】
【０００５】
上記目的を達成するため、請求項１にかかる発明は、前面壁の略中央に略矩形の開口を形成したキャビネットと、同開口に表示面を向けた状態で同キャビネット内に配設されるプラズマディスプレイパネルと、同プラズマディスプレイパネルの周囲を囲んだ状態で同キャビネット内に配設される枠部材と、同枠部材に固定される光学フィルタと、同光学フィルタを同枠部材に対して固定するための所定の固定具とを備えるプラズマテレビジョンにおいて、略垂直に立設する足部材と接続し上記プラズマテレビジョンの略全体を所定高さ位置に支持するためのブラケットに対し、背面側において固定される上記プラズマディスプレイパネルと、上記ブラケットの上端部位および下端部位の各先端部と対向する部位において同ブラケットに対して固定される上記枠部材と、上記光学フィルタの左右端部を夫々固定する第一固定具と光学フィルタの上下端部を夫々固定する第二固定具とから構成され、上記枠部材の前面側縁部上において、光学フィルタをプラズマディスプレイパネルの板面との所要の平行性を保った状態で固定する上記固定具とを備え、上記第一固定具は、枠部材の略上下幅に渡って同枠部材の左右の前面側縁部に当接する縁部当接部と、同縁部当接部の長手方向に沿う縁部であって同枠部材の内側を向く縁部から略垂直に屈曲して同縁部当接部から所定の段差を確保する段差形成部と、同段差形成部の縁部当接部と接続しない側の長手方向に沿う縁部から同枠部材の内側に略垂直に屈曲し、光学フィルタの略上下幅に渡って同光学フィルタの左右の前面側端部に当接するフィルタ当接部とからなり、かつ、段差形成部の両端には、段差形成部と略同一平面に形成される部位であって、上記縁部当接部からの段差が形成される方向とは逆の方向に向かって同縁部当接部および枠部材の厚み分突出した上で、同段差形成部の長手方向と略平行に突出する差込片が形成され、上記枠部材には、上記第一固定具を取付けた際に上記差込片と対向する各部位に、上記差込片を貫入させるための長穴が形成される構成としてある。
【０００６】
上記のように構成した請求項１の発明においては、プラズマテレビジョンは、前面壁の略中央に略矩形の開口を形成したキャビネットと、同開口に表示面を向けた状態で同キャビネット内に配設されるプラズマディスプレイパネルと、同プラズマディスプレイパネルの周囲を囲んだ状態で同キャビネット内に配設される枠部材と、同枠部材に固定される光学フィルタと、同光学フィルタを同枠部材に対して固定するための所定の固定具とを備える。
ここで、上記プラズマテレビジョンの略全体は、略垂直に立設する足部材と接続するブラケットによって所定高さ位置に支持される。すなわち、プラズマディスプレイパネルは、背面側においてブラケットに対して固定される。また、枠部材は、ブラケットの上端部位および下端部位の各先端部と対向する部位において同ブラケットに対して固定される。
【０００７】
上記固定具は、光学フィルタの左右端部を夫々固定する第一固定具と光学フィルタの上下端部を夫々固定する第二固定具とから構成される。同第一固定具は、縁部当接部と段差形成部とフィルタ当接部とから構成される。すなわち、第一固定具は、縁部当接部とフィルタ当接部とが、段差形成部を介して階段状となっている。
段差形成部の両端には、差込片が夫々形成されている。同差込片は、段差形成部と略同一平面において、縁部当接部からの上記段差が形成される方向とは逆の方向に向かって同縁部当接部および枠部材の厚み分突出した上で、同段差形成部の長手方向と略平行に突出する形状となっている。一方、枠部材には、第一固定具を取付けた際に上記差込片と対向する各部位に、同差込片を貫入させるための長穴が形成されている。
【０００８】
すなわち、差込片を上記長穴に貫入させ、縁部当接部が枠部材の略上下幅に渡って左右の前面側縁部に当接するように第一固定具を取付ける。すると、フィルタ当接部が光学フィルタ左右の前面側端部に当接しながら、同光学フィルタを枠部材側に押圧する。その結果、光学フィルタは、フィルタ当接部と枠部材の前面側縁部とによって前後を保持される。このように固定すれば、光学フィルタは枠部材に対する所要の平行性を確実に保てるため、同枠部材と平行性を保つプラズマディスプレイパネルとも所要の平行性を保つことができる。
【０００９】
上記構成では、枠部材と同枠部材に固定された光学フィルタとの重量は、ブラケットのみにかかる。同様に、プラズマディスプレイパネルの重量もブラケットのみにかかる。従って、プラズマディスプレイパネルの重量が光学フィルタを保持する枠部材にかかって、同枠部材に歪みを生じさせたり、光学フィルタの重量が精密機たるプラズマディスプレイパネルにかかり不要な負荷を与えるといったことが防がれる。
【００１０】
請求項２にかかる発明は、キャビネットと、同キャビネット内に配設される枠部材と、同枠部材に周辺を囲まれて同キャビネット内に配設されるパネル型表示装置と、同枠部材に固定される光学フィルタと、同光学フィルタを同枠部材に対して固定するための所定の固定具とを備えるパネル表示型テレビジョンであって、上記枠部材とパネル型表示装置とは、互いに重量をかけ合わない状態で、パネル表示型テレビジョンの略全体を支持するための支持部材に対して夫々に固定され、上記固定具は、上記枠部材の前面側縁部上において、上記光学フィルタをパネル型表示装置の板面との所要の平行性を保った状態で固定する構成としてある。
【００１１】
上記のように構成した請求項２の発明においては、パネル表示型テレビジョンは、キャビネットと、同キャビネット内に配設される枠部材と、同枠部材に周辺を囲まれて同キャビネット内に配設されるパネル型表示装置と、同枠部材に固定される光学フィルタと、同光学フィルタを同枠部材に対して固定するための所定の固定具とを備える。
ここで、枠部材とパネル型表示装置とは、互いに重量をかけ合わない状態で、パネル表示型テレビジョンの略全体を支持するための支持部材に対して夫々に固定される。また、光学フィルタは、固定具によって、枠部材に対して固定される。
【００１２】
すなわち、枠部材と同枠部材に固定された光学フィルタとの重量は、支持部材にのみかかっている。同様に、パネル型表示装置の重量も支持部材にのみかかっている。従って、パネル型表示装置の重量が光学フィルタを保持する枠部材にかかって、同枠部材に歪みを生じさせたり、光学フィルタの重量が精密機たるパネル型表示装置にかかり不要な負荷を与えるといったことが防がれる。また、上記固定具は、光学フィルタを枠部材の前面側縁部上において、パネル型表示装置の板面との所要の平行性を保った状態で固定することができる。
【００１３】
請求項３にかかる発明は、請求項２に記載のパネル表示型テレビジョンにおいて、上記固定具は、上記光学フィルタの左右端部を夫々固定する第一固定具と光学フィルタの上下端部を夫々固定する第二固定具とからなり、同第一固定具は、枠部材の略上下幅に渡って同枠部材の左右の前面側縁部に当接する縁部当接部と、同縁部当接部の長手方向に沿う縁部であって同枠部材の内側を向く縁部から略垂直に屈曲して同縁部当接部から所定の段差を確保する縁部当接部と、同段差形成部の縁部当接部と接続しない側の長手方向に沿う縁部から同枠部材の内側に略垂直に屈曲し、光学フィルタの略上下幅に渡って同光学フィルタの左右の前面側端部に当接するフィルタ当接部とからなる構成としてある。
【００１４】
上記のように構成した請求項３の発明においては、上記固定具は、上記光学フィルタの左右端部を夫々固定する第一固定具と光学フィルタの上下端部を夫々固定する第二固定具とからなる。また、第一固定具は、縁部当接部と段差形成部とフィルタ当接部とから構成される。かかる第一固定具を用いれば、縁部当接部を枠部材の略上下幅に渡って左右の前面側縁部に当接させた際に、フィルタ当接部と同左右の前面側縁部とによって、光学フィルタの左右端部を前後から保持できる。このように固定すれば、光学フィルタは枠部材に対する所要の平行性を確実に保てるため、同枠部材と平行性を保つパネル型表示装置とも、所要の平行性を保つことができる。
【００１５】
請求項４にかかる発明は、請求項３に記載のパネル表示型テレビジョンにおいて、上記段差形成部の両端には、同段差形成部と略同一平面に形成される部位であって、上記縁部当接部からの段差が形成される方向とは逆の方向に向かって同縁部当接部および枠部材の厚み分突出した上で、同段差形成部の長手方向と略平行に突出する差込片が形成され、上記枠部材には、上記第一固定具を取付けた際に上記差込片と対向する各部位に上記差込片を貫入させるための長穴が形成される構成としてある。
【００１６】
上記のように構成した請求項４の発明においては、段差形成部の両端には差込片が形成さる。また、枠部材には、上記第一固定具を取付けた際に上記差込片と対向する各部位に差込片を貫入させるための長穴が形成される。そして、差込片を先端から長穴に挿入し、同差込片の全体を長穴に貫入させつつ、縁部当接部を枠部材の前面側縁部に接近させていく。すると、枠部材の前面側では縁部当接部が枠部材に当接し、枠部材の裏側では、差込片の上記段差形成部の長手方向と略平行に突出する部位が、枠部材に当接する。すなわち、上記構成によれば、差込片の全体を長穴に差込むだけで、枠部材の前面側縁部とフィルタ当接部との距離を確実に所定の距離とすることができる。その結果、フィルタ当接部が光学フィルタを押圧する力の程度も一定となり、光学フィルタが保持される前後方向の位置も常に一定の位置となる。
【００１７】
請求項５にかかる発明は、請求項３または請求項４のいずれかに記載のパネル表示型テレビジョンにおいて、上記段差形成部が形成する段差は、上記第一固定具が枠部材に取付けられ上記フィルタ当接部が光学フィルタの左右の前面側端部を押圧した際に、同光学フィルタと枠部材の前面側縁部との間に介在する導電性を有するガスケットが所定の厚みに圧縮される距離に設定される構成としてある。
【００１８】
請求項５の発明においては、段差形成部が形成する段差は、枠部材の前面側縁部とフィルタ当接部との間に光学フィルタを保持できるだけの距離にはしていない。光学フィルタと枠部材の間には、導電性を有する素材によって造られた所定のガスケットを介在させる場合がある。そこで、上記構成においては、フィルタ当接部が光学フィルタの左右の前面側端部を押圧した際に、光学フィルタと前面側縁部との間に挟まれる当該ガスケットが所定の厚みに圧縮されるように、上記段差の距離を設定している。その結果、同ガスケットを電磁波のシールド効果を発揮するのに最適な厚みにまで圧縮することができる。
【００１９】
請求項６にかかる発明は、請求項２〜請求項５のいずれかに記載のパネル表示型テレビジョンにおいて、上記枠部材とパネル型表示装置との間には、所定のスペーサが介在し、パネル型表示装置と光学フィルタとの間を所定距離に保つ構成としてある。
つまり、パネル型表示装置と光学フィルタとの間に介在させる部材は、枠部材やガスケットに限られない。例えば、樹脂製のスペーサを枠部材とパネル型表示装置との間に挟むことで、パネル型表示装置と光学フィルタとの間を所定距離に保つようにしても良い。
【００２０】
請求項７にかかる発明は、請求項２〜請求項６のいずれかに記載のパネル表示型テレビジョンにおいて、上記支持部材は、略垂直に立設する足部材と、同足部材に接続することによりパネル表示型テレビジョンの略全体を所定高さ位置に支持するブラケットとからなる構成としてある。
【００２１】
上記のように構成した請求項７発明においては、支持部材は、略垂直に立設する足部材と、同足部材に接続することによりパネル表示型テレビジョンの略全体を所定高さ位置に支持するブラケットとからなる。従って、同ブラケットに上記パネル型表示装置と枠部材とを夫々固定すれば、両者は、重量を互いにかけ合うこと無く、夫々に  支持部材によって所定高さ位置に支持される。また、光学フィルタは枠部材に固定されるため、同光学フィルタとパネル型表示装置も、互いに重量をかけ合うことはない。
【００２２】
請求項８にかかる発明は、請求項２〜請求項７のいずれかに記載のパネル表示型テレビジョンにおいて、上記パネル型表示装置は、プラズマディスプレイパネルである構成としてある。
一般に、プラズマディスプレイパネルは、液晶パネル等の他のパネル型表示装置と比較して全体の重量が重くなる傾向にある。特に、パネルの大型化が進む昨今では、パネル型表示装置の自重がキャビネット等に与える影響は無視できない。また、パネルが大型化すれば、同パネルの前面側を覆う光学フィルタも大型となり、重量もそれだけ重くなる。ここで、上記構成においては、重量の重いプラズマディスプレイパネルや光学フィルタを採用した場合でも、枠部材および光学フィルタとプラズマディスプレイパネルとが、互いに重量をかけ合わずに済む。
【００２３】
本発明をパネル表示型テレビジョンとして装置の面から把握できるのと同時に、その組立ての実行手順としても発明を把握できる。
そこで、請求項９にかかる発明は、キャビネットと、同キャビネット内に配設される枠部材と、同枠部材に周辺を囲まれてキャビネット内に配設されるパネル型表示装置と、同枠部材に固定される光学フィルタと、同光学フィルタを同枠部材に対して固定するための所定の固定具とを備えるパネル表示型テレビジョンを組立てるパネル表示型テレビジョン組立方法であって、上記枠部材とパネル型表示装置とを、互いに重量をかけ合わない状態で、パネル表示型テレビジョンの略全体を支持するための支持部材に対して夫々に固定し、上記光学フィルタを、上記固定具によって、枠部材の前面側縁部上でパネル型表示装置の板面と所要の平行性を保った状態で固定する構成としてある。
【００２４】
むろん、請求項１の態様を適用して方法の発明を捉えることも可能である。同様に、請求項２に従属する請求項３〜８にかかる発明の態様を適用して、請求項９の発明に従属する発明を捉えることも可能である。
【発明の効果】
【００２５】
以上説明したように、請求項１にかかる発明によれば、枠部材の歪みやプラズマディスプレイパネルや光学フィルタへの不要な負荷を防ぎ、かつ、光学フィルタとパネル型表示装置との所要の平行性を確実に保つことが可能なプラズマテレビジョンを提供することができる。  
また、請求項２，８，９にかかる発明によれば、枠部材の歪みやパネル型表示装置や光学フィルタへの不要な負荷を防ぎ、かつ、光学フィルタとパネル型表示装置との所要の平行性を保つことが可能なパネル表示型テレビジョン、パネル表示型テレビジョン組立方法を提供することができる。
【００２６】
さらに、請求項３にかかる発明によれば、簡易な構成で、光学フィルタとパネル型表示装置との所要の平行性を確実に保つことができる。
さらに、請求項４にかかる発明によれば、光学フィルタが保持される前後方向の位置を一定とすることができる。
さらに、請求項５にかかる発明によれば、簡易な構成で、ガスケットを電磁波のシールド効果を発揮するのに最適な厚みに圧縮することができる。
さらに、請求項６にかかる発明によれば、パネル型表示装置と光学フィルタとの間を、容易に所定の距離に保つことができる。
さらに、請求項７にかかる発明によれば、光学フィルタ及び枠部材とパネル型表示装置とを、互いが重量をかけ合うことが無い状態で、所定の高さ位置に支持することができる。
【発明を実施するための最良の形態】
【００２７】
図１は、本願にかかるプラズマテレビジョンの組立を、斜視図により示している。
本願によるテレビジョンの組立の態様は、液晶テレビジョンなど薄型テレビジョン一般について適用可能であるが、本実施形態においては、プラズマテレビジョンを組立てる場合を例に説明を行う。
同図に示すように、プラズマテレビジョン１００は、概略、プラズマディスプレイパネル（ＰＤＰ）１０と、枠体３０と、光学フィルタ８０と、キャビネット４０とを組立てて構成する。キャビネット４０は、フロントキャビネット４１とリアキャビネットとによって構成されるが、同図では、フロントキャビネット４１のみ図示し、リアキャビネットは省略してある。フロントキャビネット４１の前面の略中央には、開口４１ａが形成されており、ＰＤＰ１０は、その前面の表示面１１を同開口４１ａに向けてキャビネット４０内に配設される。
【００２８】
本実施形態では、先ず、ＰＤＰ１０を、その背面側の所定箇所においてブラケット２０に対して固定する。ＰＤＰ１０とブラケット２０との固定手法については後述する。次に、ＰＤＰ１０を支持した状態のブラケット２０と、枠体３０とを固定する。同図に示すように、ブラケット２０の上端である枠体当接面２２ａと下端である枠体当接面２２ｂとが、夫々ＰＤＰ１０の上下の縁部よりも外側に延出している 。そこで、枠体３０の後方から、ブラケット２０に固定されたＰＤＰ１０を接近させ、上記枠体当接面２２ａ，２２ｂを枠体３０の対向する部位に夫々当接させる。そして、当接し合う枠体当接面２２ａ，２２ｂと枠体３０の部位とを夫々に固定する。固定方法は何ら限定されるものではないが、例えば、互いに対向する枠体当接面２２ａ，２２ｂと枠体３０の部位とにネジ穴を設け、同ネジ穴を利用して両者をネジ止めする。
【００２９】
上記枠体３０は、４本の部材から構成される。すなわち、枠体３０の上辺及び下辺となる二本の横部材３１と枠体３０の左右の辺となる二本の縦部材３２とを枠状に組立てて構成する。ここで、枠体３０は、ＰＤＰ１０の周囲四辺を囲うものであるため、その枠の中にＰＤＰ１０を収容できる大きさに、各横部材３１、縦部材３２は設計される。ただし、後述するように、ＰＤＰ１０と枠体３０とが、互いに自重をかけ合わないようにするため、枠体３０は、ＰＤＰ１０の四辺の縁部が枠体３０の内側壁面３３に接触せずに同ＰＤＰ１０を内部に収容できるだけの大きさに設計する。
【００３０】
ブラケット２０によって、ＰＤＰ１０と枠体３０とが夫々固定されたら、固定具９０を用いて、同枠体３０に対して光学フィルタ８０を固定する。具体的には、枠体３０の前面側の左右縁部、すなわち縦部材３２の前面側においては、第一固定具９１によって光学フィルタ８０の左右端部を固定する。また、枠体３０の前面側の上下縁部、すなわち横部材３１の前面側においては、第二固定具９２によって光学フィルタ８０の上下端部を夫々固定する。
【００３１】
上記光学フィルタ８０を固定したら、次にフロントキャビネット４１を固定する。すなわち、フロントキャビネット４１を枠体３０の外側に被せるようにして、両者を複数箇所で固定する。ここでも、固定方法は限定されないが、例えば、枠体３０側にネジ穴を設け、フロントキャビネット４１側にボスを形成し、同ネジ穴と同ボスに形成されたボス穴とをネジ止めして、両者を固定する。或いは、フロントキャビネット４１の内側に形成した爪部を、枠体３０に形成した凹部に引掛けて、両者を固定しても良い。そして、後方からリアキャビネットを枠体３０に対して固定すれば、プラズマテレビジョン１００の略全体の組立が終わる。なお、以下において単にキャビネット４０といった場合は、フロントキャビネット４１とリアキャビネットとの両方を含む表現であるとする。
【００３２】
図２は、ＰＤＰ１０とブラケット２０とを固定する状況を斜視図により示している。
上述したように、ＰＤＰ１０は、その背面側においてブラケット２０に固定される。本実施形態においては、ＰＤＰ１０は、直接ブラケット２０に接して固定されるのではなく、接続部材としてのアタッチメント５０を介在させてブラケット２０に固定される。
【００３３】
図３は、アタッチメント５０を斜視図により示している。
アタッチメント５０は、概略、略矩形板状の基体部５１と、同基体部５１の一面側から略垂直に突出して形成された突出部５２とからなる。突出部５２の長手方向の長さは、基体部５１の長手方向の長さよりも短く、幅方向の長さは、基体部５１の幅方向の長さと略同等である。基体部５１の突出部５２が形成されていない側の面は、アタッチメント５０をＰＤＰ１０の背面側に固定するためのパネル固定面５１ａとなっている。また、基体部５１には、同基体５１を貫くネジ穴５１ｂが複数箇所に形成されている。すなわち、アタッチメント５０は、パネル固定面５１ａにおいてＰＤＰ１０の背面側の所定位置に当接し、上記ネジ穴５１ｂ及びＰＤＰ１０の背面側の所定部品に設けられたネジ穴を利用してＰＤＰ１０に対してネジ止めされる。
【００３４】
一方、突出体５２の上端面５２ａ１の中程には、所定の深さをもって、突出体５２を幅方向に貫通する凹部５３が形成されている。そして、同凹部５３を挟む上端面５２ａ１上の複数箇所には、ネジ穴５２ａ２及びボス５２ａ３が形成されている。以下、上端面５２ａ１及び上端面５２ａ１に形成されたネジ穴５２ａ２とボス５２ａ３を含む部位を、総称としてブラケット固定部５２ａと呼ぶ。
当該構成において、アタッチメント５０は、ブラケット固定部５２ａにおける上端面５２ａ１或いはボス５２ａ３をブラケット２０に当接させ、上記ネジ穴５２ａ２またはボス５２ａ３を利用してブラケット２０に対してネジ止めされる。なお、上端面５２ａ１をブラケット２０に当接する場合には、突出するボス５２ａ３がブラケット２０と衝突することを避けため、ブラケット２０における当該ボス５２ａ３と対向する部位に、ボス５２ａ３を通過させるための穴を空けておく。
【００３５】
ここで、図２に示すように、ブラケット２０は、長板状部材を複数箇所で屈曲させて成形されている。具体的には、同長板状部材の上端部位と下端部位とを、同一面側に夫々所定の角度に屈曲させる。そして、同屈曲させた上端部位および下端部位の各先端部を、長板状部材の上端部位と下端部位とを接続する部位と略平行となるように再度屈曲させる。ここで、長板状部材の上端部位と下端部位とを接続する部位を本体部２１とする。また、同本体部２１と略平行となるように屈曲させた上端部位の先端部を上記枠体当接面２２ａとし、本体部２１と略平行となるように屈曲させた下端部位の先端部を上記枠体当接面２２ｂとする。さらに、本体部２１と枠体当接面２２ａとを接続する部位と、本体部２１と枠体当接面２２ｂとを接続する部位とを、ぞれぞれ接続面２３ａ，２３ｂとする。
【００３６】
上記構成において、アタッチメント５０をＰＤＰ１０の背面側の所定位置に固定する。本実施形態では、一つのブラケット２０に対して二つのアタッチメント５０を介在させる。また、ブラケット２０は二本用いられ、かつ、両ブラケット２０は、所定の間隔を空けてその長手方向がＰＤＰ１０の上下方向を向くように固定される。従って、アタッチメント５０は、ＰＤＰ１０背面の右側の上下位置及び、左側の上下位置に、それぞれ計４個固定される。また、アタッチメント５０は、同アタッチメント５０の長手方向がＰＤＰ１０の左右方向を向くように固定するものとする。
【００３７】
アタッチメント５０をＰＤＰ１０に固定したら、ブラケット２０とアタッチメント５０とを固定する。すなわち、ＰＤＰ１０背面の右側の上下位置に固定された二つのアタッチメント５０に、一のブラケット２０の本体部２１であって、接続面２３ａ，２３ｂが屈曲する側の面を接近させる。そして、各アタッチメント５０のブラケット固定部５２ａと本体部２１の所定部位とを当接させて固定する。同様に、ＰＤＰ１０背面の左側の上下位置に固定された二つのアタッチメント５０と、もう一つのブラケット２０とを固定する。
【００３８】
その結果、ＰＤＰ１０は、アタッチメント５０を介して、二本のブラケット２０に固定される。本実施形態では、ブラケット２０の長手方向の長さは、枠体３０の上下幅と略同等に設定されている。そのため、ＰＤＰ１０と接続した際には、上述したように、枠体当接面２２ａ，２２ｂが、ＰＤＰ１０の上下の縁部よりも上方または下方に夫々延出する。
【００３９】
次に、光学フィルタ８０を枠体３０に固定する手法について説明する。
図４は、第一固定具９１を斜視図により示している。第一固定具９１は、長板状の部材を階段状に屈曲させて形成したものであり、概略、縁部当接部９１ａと段差形成部９１ｂとフィルタ当接部９１ｃと差込片９１ｄとから構成される。段差形成部９１ｂは、縁部当接部９１ａとフィルタ当接部９１ｃとの段差ｄ１を確保する。すなわち、縁部当接部９１ａが、段差形成部９１ｂの長手方向に沿う縁部の一方から略垂直の角度をもって延出し、フィルタ当接部９１ｃが、段差形成部９１ｂの長手方向に沿う縁部の他方から、略垂直の角度をもって縁部当接部９１ａと逆方向に延出している。よって、縁部当接部９１ａとフィルタ当接部９１ｃとは略平行となっている。なお、段差ｄ１は厳密には、縁部当接部９１ａの枠体３０と当接する側の面（縁部当接面９１ａ１）から、フィルタ当接部９１ｃの光学フィルタ８０と当接する側の面（フィルタ当接面９１ｃ１）までの距離を言う。
【００４０】
また、段差形成部９１ｂの両端には、段差形成部９１ｂと略同一平面に、差込片９１ｄが夫々形成されている。差込片９１ｄは、段差形成部９１ｂの一端から、縁部当接部９１ａからフィルタ当接部９１ｃに向かって段差ｄ１が形成される方向とは逆の方向に、所定距離ｄ２だけ突出した上で向きを変え、そこから段差形成部９１ｂの長手方向と略平行に突出した形状となっている。なお、上記距離ｄ２は、縁部当接部９１ａと枠体３０（縦部材３２）の厚みを足した距離である。また、差込片９１ｄのうち段差形成部９１ｂの長手方向と略平行に突出する部位であって、縁部当接部９１ａに近い側の縁部を、枠体当接縁部９１ｄ１と呼ぶ。
【００４１】
図５は、第一固定具９１を縦部材３２に対して取付ける際の手順を示している。
同図（１）に示すように、縦部材３２の前面に対して縁部当接部９１ａを対向させ、差込片９１ｄの先端を、縦部材３２に形成した長穴状のスリット３２ａに挿入する。そして、差込片９１ｄの先端が縦部材３２の裏側に突出した状態で、縁部当接部９１ａを縦部材３２の前面に接近させ、同縁部当接面９１ａ１と縦部材３２の前面とを当接させる。
【００４２】
その結果、同図（２）に示すように、枠体当接縁部９１ｄ１も縦部材３２の裏側において縦部材３２に当接し、縁部当接面９１ａ１と枠体当接縁部９１ｄ１との間に縦部材３２が挟まった状態となる。なお、同図では、第一固定部９１を取付ける際に下端に位置する差込片９１ｄのみ示しているが、上端に位置する差込片９１ｄは、縁部当接部９１ａが縦部材３２に当接すると同時に、縦部材３２の相対する位置に形成したスリット３２ｂに、その全体が挿入されることとする。この場合、スリット３２ｂは、縦部材３２に縁部当接部９１ａを略正対させて接近させた場合に差込片９１ｄを挿入できるように、スリット３２ａよりも上下の距離を長く設定する。
【００４３】
また、第一固定部９１には、差込片９１ｄが両端に形成されているため、共通の部材で、左右の縦部材３２上で光学フィルタ８０の左右端部を夫々固定できる。すなわち左側の縦部材３２上で光学フィルタ８０を固定する場合に第一固定部９１の上端に位置する差込片９１ｄを、右側の縦部材３２上で光学フィルタ８０を固定する場合には下端とし、同右側の縦部材３２に形成されたスリット３２ａに挿入する。このように、光学フィルタ８０の左端部を固定する専用の第一固定部９１と、右端部を固定する専用の第一固定部９１とを夫々成形して用意する必要が無いため、プラズマテレビジョン１００の製造コストを抑えることができる。
【００４４】
図６は、第一固定具９１によって、光学フィルタ８０を枠体３０に固定した状態を上方から示している。
同図は、プラズマテレビジョン１００をある高さで横方向に切断した断面図であって、プラズマテレビジョン１００を正面から見て左側にある縦部材３２の付近を示している。なお、右側の縦部材３２においても、同図と左右対称構造で、光学フィルタ８０を固定している。
第一固定具９１で光学フィルタ８０の左右端部を固定する前に、図１に示す第二固定具９２を枠体３０の下方の横部材３１に取付け、同第二固定具９２によって、光学フィルタ８０の下端を略保持しておく。ここで、第二固定具９２は、長板状の部材を階段状に屈曲させて形成したものであり、第一固定具９１と同様に、縁部当接部と段差形成部とフィルタ当接部とから構成される。ただし、上記差込片９１ｄに対応する部位はない。
【００４５】
すなわち、縁部当接部において、横部材３１の前面側に当接し、フィルタ当接部において光学フィルタ８０の前面側下端に当接して同光学フィルタ８０を枠体３０に対して略保持する。このように、光学フィルタ８０を枠体３０に固定する際に、先ず下端を略保持し、同光学フィルタ８０が落下しない状態を確保する。その結果、光学フィルタ８０を固定する際に、同固定を行う作業者とは別の作業者が、光学フィルタ８０が落下しないように支える必要が無くなり、少ない人員で同固定作業を行うことが可能となる。
【００４６】
同図においては、縁部当接部９１ａは、第一固定具９１を枠体３０に取付けた際に、同枠体３０の略上下幅に渡って、縦部材３２の前面側に当接する。また、縁部当接部９１ａと略平行なフィルタ当接部９１ｃは、段差ｄ１を隔てて、縦部材３２の前面と相対する。ここで、縁部当接部９１ａとフィルタ当接部９１ｃとは略平行であるため、フィルタ当接部９１ｃと縦部材３２とは、所要の平行性を保つことができる。光学フィルタ８０は、かかるフィルタ当接部９１ｃと縦部材３２の前面との間に生じる段差ｄ１内に収容される。フィルタ当接部９１ｃは、光学フィルタ８０の略上下幅に渡って同光学フィルタ８０の前面側の左右端部に当接する。そして、光学フィルタ８０を、ＰＤＰ１０との所要の平行性を保った状態で、縦部材３２の前面に向かって押圧する。なお、ＰＤＰ１０自体は、縦部材３２を含む枠体３０内に、枠体３０と所要の平行性を保って収容されているものとする。
【００４７】
ここで、光学フィルタ８０は、導電性を有する特殊なガラス素材によって生成されており、ＰＤＰ１０の表示面１１側を覆うことで、ＰＤＰ１０から発生する電磁波を遮蔽する効果（シールド効果）を発揮する。また、同シールド効果以外にも、光学フィルタ８０は、ＰＤＰ１０による画像のコントラストや色再現性を向上させる働きをする。かかる光学フィルタ８０は、ＰＤＰ１０に対して、できるだけ平行に取付けることが望ましい。従って、上記所要の平行性とは、かかるＰＤＰ１０の表示面１１を覆う光学フィルタ８０に要求される程度の平行性を言う。
【００４８】
また、縦部材３２と光学フィルタ８０との間には、ガスケット１１０を介在させる。ガスケット１１０は、金属メッシュ等の導電性を有す素材によって構成されたものであり、光学フィルタ８０と縦部材３２との隙間を埋めることで、シールド効果を発揮する。ガスケット１１０がシールド効果を的確に発揮するためには、元の厚みから所定の厚みまで圧縮した状態で、縦部材３２と光学フィルタ８０との間に挟む必要がある。すなわち、シールド効果を発揮するのに最適な厚み（最適厚み）として予め設定された厚みにまで圧縮することで、縦部材３２及び光学フィルタ８０との充分な接触面積を確保する。その結果、部材間の隙間からの高周波の漏洩などを防ぎ、充分なシールド効果を発揮する。上記最適厚みとしては、例えば、元の厚みの６０パーセントとすることができる。
【００４９】
従って、上記段差ｄ１は、フィルタ当接部９１ｃが光学フィルタ８０を押圧した際に、ガスケット１１０が上記最適厚みにまで圧縮されるような長さに設定される。言い換えれば、光学フィルタ８０の厚みとガスケット１１０の最適厚みとの和を、上記段差ｄ１とする。その結果、縦部材３２に第一固定部９１を取付けるだけで、フィルタ当接面９１ｃと縦部材３２の前面との間において、光学フィルタ８０をＰＤＰ１０との所要の平行性を保った状態で固定するとともに、ガスケット１１０を最適厚みにまで圧縮することができる。
なお、第一固定具９１は、差込片９１ｄをスリット３２ａ，３２ｂに挿入し、縁部当接部９１ａを縦部材３２に当接させるだけで、その取付位置は確実に位置決めされるが、その状態を維持するために、図示しないネジによって縦部材３２に対してネジ止めされる。
【００５０】
本実施形態においては、枠体３０（図６では縦部材３２）とＰＤＰ１０との間に、樹脂製のスペーサ１２０を介在させる。通常、ＰＤＰ１０と光学フィルタ８０との間には、保持すべき最適な距離がある。一方、上記第一固定部９１の形成する段差ｄ１は、光学フィルタ８０厚みとガスケット１１０の最適厚みとを考慮したものであり、同段差ｄ１によって、上記最適な距離を確保することは基本的に困難である。そこで、上記スペーサ１２０を介在させることで、ＰＤＰ１０と光学フィルタ８０との間を最適な距離に保持する。
【００５１】
図７は、ブラケット２０がＰＤＰ１０と枠体３０とを夫々支持する状態を側面図により示している。なお、枠体３０に固定されるキャビネット４０は、図示を省略してある。
これまでに説明した通り、ＰＤＰ１０はアタッチメント５０を介してブラケット２０に固定され、枠体３０は、枠体当接面２２ａ，２２ｂによってブラケット２０に固定される。また、光学フィルタ８０は、枠体３０の前面側に固定具９０によって固定される。同図に示すように、ブラケット２０においては、枠体３０を固定する枠体当接面２２ａ，２２ｂは、枠体３０及びＰＤＰ１０の背面と略同一の平面上にあるが、その本体部２１は、ＰＤＰ１０の背面から所定の距離だけ離れた位置にある。その結果、ＰＤＰ１０の背面と本体部２１との間には、一定の空間が確保される。
【００５２】
ＰＤＰ１０の背面側においては、制御回路や電源回路などの基板や各種電子部品を配設するために所定の空間を確保する必要がある。従って、上記ブラケット２０の形状は、その上端と下端において枠体３０を固定するとともに、同枠体３０内に収容されて背面側に各種基板や電子部品を配設するＰＤＰ１０を固定するために、最適な形状の一つであると言える。
【００５３】
同図では、ブラケット２０は、その下方部位において足部材６０と接続している。同足部材６０は、設置面に直接置かれる土台部６１と、同土台部６１から略垂直に立設しブラケット２０と接続する脚部６２とからなる。ブラケット２０と脚部６２との接続態様は様々なものが考えられるが、本実施形態では、次のように接続する。
【００５４】
本体部２１と枠体当接面２２ｂとを接続する接続面２３ｂに、脚部６２が通過可能な大きさの貫通穴２３ｂ１を形成する。また、上記アタッチメント５０の凹部５３も、脚部６２が通過可能な大きさに設計する。すなわち、アタッチメント５０は、ＰＤＰ１０とブラケット２０の間に介在して両者を固定するだけではなく、その凹部５３に脚部６２を通すことにより、プラズマテレビジョン１００を支える足部材６０の位置決めにも用いられる。また、図３に示すように、凹部５３には、アタッチメント５０の突出部５２の側面に向かって開放されている部位において、同凹部５３の幅を同側面に向かうほど幅広とする向きに斜面５３ａが形成されている。そのため、脚部６２を凹部５３に通過させる際に、同斜面５３ａにより、脚部６２が凹部５３の奥方に効率よく案内される。
【００５５】
上記脚部６２を貫通穴２３ｂ１と凹部５３とに通過させ、かつ、同脚部６２と本体部２１との対向する部位同士をネジ７０で強固に固定する。その結果、ブラケット２０は足部材６０と一体となって、ＰＤＰ１０や枠体３０や光学フィルタ８０を含むプラズマテレビジョン１００の略全体を、所定の高さ位置で空中に支持する。
【００５６】
このように、足部材６０と一体となって装置全体の重量を支えるブラケット２０に対して、ＰＤＰ１０と枠体３０とが別々に固定されている。また、枠体３０は、ＰＤＰ１０の周囲を囲みつつも、同ＰＤＰ１０に接してはいない。その結果、ＰＤＰ１０と枠体３０とが自重を他方にかけ合うことも、光学フィルタ８０とＰＤＰ１０とが自重を他方にかけ合うことも無くなる。従って、光学フィルタ８０を前面側で保持する状態の枠体３０にＰＤＰ１０の重量がかかり、同枠体３０を歪ませてしまうという不都合も防止される。同時に、精密機械たるＰＤＰ１０に、光学フィルタ８０の重量という不要な負荷がかかることも防止される。
【００５７】
上述したように、ＰＤＰ１０は、その背面側に制御回路や電源回路などの基板や各種電子部品を積んでおり、全体としての重量も、液晶パネルなどの他の薄型ディスプレイと比較して重いのが通常である。特に、大型サイズのモデルとなれば、ＰＤＰ１０の重さが枠体３０や光学フィルタ８０に与える影響も非常に大きい。同様に、ＰＤＰ１０が大型となれば、その表示面１１を覆う光学フィルタ８０も大型となり、重量も増す。従って、本願の構成を大型モデルのプラズマテレビジョンに適用すれば、光学フィルタ８０、ＰＤＰ１０夫々の保護という面で、非常に有用である。
【００５８】
さらに、本願には、以下のような効果もある。
従来においては、光学フィルタ８０をキャビネット４０に対して直接固定し、かかるキャビネット４０に対してＰＤＰ１０を取付けるという順序でプラズマテレビジョン１００を組立てることがあった。そのため、キャビネット４０内に収容される装置や部品に対する各取付や整備の段階から、既にキャビネット４０が取付けられた状態で各工程を通過していた。このようにキャビネット４０を組立工程の早い段階から取付けると、各工程において人為的或いは偶発的に様々な衝撃や負荷がキャビネット４０にかかってしまう。その結果、最終製品として出荷する際に、キャビネット４０の傷や歪み等によって不良品と判断されることもあった。
【００５９】
しかし、本願では、光学フィルタ８０は、足部材６０と一体となったブラケット２０に固定された枠体３０に取付けられる。すなわち、本願によれば、キャビネット４０内に収容される部品や装置に対する全ての取付、整備工程を、キャビネット４０を何れかの部品に取付ける前に終えることができる。そして、製品組立の最終段階でキャビネット４０を取付ければよいため、キャビネット４０に不要な負荷や衝撃がかかる機会が殆ど無くなる。その結果、従来と比較して、キャビネット４０の傷や歪みによって不良品と判断される率が大幅に低下する。
【００６０】
このように、足部材６０と接続するブラケット２０に対してＰＤＰ１０と枠体３０が夫々に固定された状況下、固定具９０を用いて、光学フィルタ８０を枠体３０に対して固定する。その結果、光学フィルタ８０は、ＰＤＰ１０に対する所要の平行性を保った状態で固定されるとともに、光学フィルタ８０とＰＤＰ１０とが、互いに重量をかけ合うことが無くなり、光学フィルタ８０およびＰＤＰ１０は不要な負荷を受けなくなる。また、製品の製造過程においては、キャビネット４０への不要な傷や歪みを防止することができる。
【図面の簡単な説明】
【００６１】
【図１】本願にかかるプラズマテレビジョンの組立を示した斜視図である。
【図２】ＰＤＰとブラケットとを固定する状況を示した斜視図である。
【図３】アタッチメントを示した斜視図である。
【図４】第一固定具を示した斜視図である。
【図５】第一固定具を縦部材に対して取付ける際の説明図である。
【図６】プラズマテレビジョンの一部横方向断面図である。
【図７】ブラケットがＰＤＰと枠体を支持する状態を示した側面図である。
【符号の説明】
【００６２】
１０…ＰＤＰ
２０…ブラケット
２１…本体部
２２ａ，２２ｂ…枠体当接面
２３ａ，２３ｂ…接続面
３０…枠体
３１…横部材
３２…縦部材
３２ａ，３２ｂ…スリット
４０…キャビネット
４１…フロントキャビネット
５０…アタッチメント
５１…基体部
５１ａ…パネル固定面
５２…突出部
５２ａ…ブラケット固定部
５３…凹部
６０…足部材
６１…土台部
６２…脚部
８０…光学フィルタ
９０…固定具
９１…第一固定具
９２…第二固定具
９１ａ…縁部当接部
９１ａ１…縁部当接面
９１ｂ…段差形成部
９１ｃ…フィルタ当接部
９１ｃ１…フィルタ当接面
９１ｄ…差込片
９１ｄ１…枠体当接縁部
１００…プラズマテレビジョン
１１０…ガスケット
１２０…スペーサ
【図１】
2005308795.tif 000003
【図２】
2005308795.tif 000004
【図３】
2005308795.tif 000005
【図４】
2005308795.tif 000006
【図５】
2005308795.tif 000007
【図６】
2005308795.tif 000008
【図７】
2005308795.tif 000009